(57)【要約】  ホットスティック電力解析器は、ポールと、電力線のためのチャネルとに取り付けられたハウジングを含む。接地線は、ハウジングから延び、電力線導電コンタクトが存在する。電圧センサは、電力線導電コンタクトおよび接地線に接続された電圧感知回路網を含む。接地線と電圧感知回路網との間に高電圧キャパシタンスが存在する。電流センサは、電力線の周囲の、電力線から離間された巻線を含む。処理サブシステムは、電圧感知回路網および電流センサに応答し、電力解析測定基準を計算するように構成される。
2015533427.tif 000002
【特許請求の範囲】
【請求項１】
ポールに取り付けられ、電力線のためのチャネルを含むハウジングと、
前記ハウジングから延びる接地線と、
電力線導電コンタクトと、
前記電力線導電コンタクトおよび前記接地線に接続された電圧感知回路網を含む電圧センサと、
前記接地線と前記電圧感知回路網との間の高電圧キャパシタンスと、
前記電力線の周囲の、前記電力線から離間された巻線を含む電流センサと、
前記電圧感知回路網および前記電流センサに応答し、電力解析測定基準を計算するように構成された処理サブシステムと
を備える、電力解析器システム。
【請求項２】
前記高電圧キャパシタンスの一方の電極を形成する前記接地線を内部に有するハウジングステムユニットと、前記接地線の周囲の絶縁体と、前記電圧感知回路網に結合された、前記高電圧キャパシタンスの他方の電極を形成する前記絶縁体の周囲の導体とをさらに含む、請求項1に記載のシステム。
【請求項３】
前記ハウジングステムユニットが、前記導体の周囲の絶縁体と、前記電力線導電コンタクトと前記電圧感知回路網との間に接続された第2のキャパシタンスを形成する前記絶縁体の周囲のケースとをさらに含む、請求項2に記載のシステム。
【請求項４】
前記処理サブシステムが前記ハウジング内にある、請求項1に記載のシステム。
【請求項５】
前記電力線導電コンタクトが、前記電圧感知回路網に配線された前記ハウジングの一部を含む、請求項1に記載のシステム。
【請求項６】
前記計算された電力解析測定基準をコンピュータにワイヤレスに送信するための、前記処理サブシステムによって制御される送信機をさらに含む、請求項4に記載のシステム。
【請求項７】
前記計算された電力解析測定基準によってキャリブレートされた、線に取り付けられたセンサをさらに含む、請求項5に記載のシステム。
【請求項８】
前記電力解析測定基準が、RMS電圧、RMS電流、有効電力、無効電力、力率、位相角、全高調波歪、瞬時電圧波形、および/または、瞬時電流波形を含む、請求項1に記載のシステム。
【請求項９】
ポールと、
前記ポールに取り付けられ、接地線および電力線導電コンタクトを含むハウジングと、
前記接地線および前記導電コンタクトに接続された、前記ハウジング内の電圧感知回路と、
前記接地線と前記電圧感知回路との間の高電圧キャパシタと、
電力線から離間された、前記ハウジング内の巻線を含む電流センサと
を備える、ホットスティック電力解析器。
【請求項１０】
前記ハウジングが、前記電力線のためのチャネルを含む、請求項9に記載の解析器。
【請求項１１】
前記ハウジングが、前記電圧感知回路および前記電流センサに応答し、電力解析測定基準を計算するように構成された、前記ハウジング内の処理サブシステムをさらに含む、請求項9に記載の解析器。
【請求項１２】
計算された電力解析測定基準をコンピュータにワイヤレスに送信するための、処理サブシステムによって制御される送信機をさらに含む、請求項10に記載の解析器。
【請求項１３】
内部に前記高電圧キャパシタを有する、前記ハウジングに取り付けられたステムをさらに含む、請求項9に記載の解析器。
【請求項１４】
前記接地線が、前記ステム内で終端し、前記高電圧キャパシタの一方の電極を形成し、前記接地線の周囲の絶縁体と、前記電圧感知回路に結合された前記高電圧キャパシタの他方の電極を形成する、前記絶縁体の周囲の導体とをさらに含む、請求項13に記載の解析器。
【請求項１５】
ステムユニットが、前記導体の周囲の絶縁体と、前記電力線導電コンタクトと前記電圧感知回路との間に接続された第2のキャパシタを形成する、前記絶縁体の周囲のケースとをさらに含む、請求項14に記載の解析器。
【請求項１６】
非接地の電力線に取り付けられたセンサの出力をキャリブレートする方法であって、
高電圧キャパシタンスを介して接地された電圧感知回路に前記電力線を接続し、前記電力線から離間された電流センサ巻線を使用して前記電力線内の電流を感知するために、ホットスティック計を使用するステップと、
前記電圧感知回路によって感知された電圧レベル、および電流センサによって感知された電流レベルから電力解析測定基準を計算するステップと、
前記非接地の電力線に取り付けられたセンサの出力をキャリブレートするために、前記計算された電力解析測定基準を使用するステップと
を含む、方法。
【請求項１７】
前記計算された電力解析測定基準が、前記ホットスティック計からコンピュータにワイヤレスに送信される、請求項16に記載の方法。
【請求項１８】
前記電力解析測定基準が、前記コンピュータから、前記非接地の線に取り付けられたセンサとワイヤレスに通信するコレクタにさらにワイヤレスに送信される、請求項17に記載の方法。
【発明の詳細な説明】
【技術分野】
【０００１】
関連出願
本出願は、35U.S.C.§§119、120、363、365、ならびに37C.F.R.§1.55および§1.78の下で、2013年10月23日に出願した米国特許出願第14/061,128号、および2012年11月5日に出願した米国仮出願第61/722,417号の利益および優先権を主張するものであり、各々は、この参照により本明細書に組み込まれている。
【０００２】
本発明は、電力線電圧および電流測定デバイスに関する。
【背景技術】
【０００３】
現在、3つのタイプのホットスティック電気計測機器が、スポット測定を行うために利用可能である。ホットスティック電圧計は、典型的には抵抗分圧器を使用して、中電圧(MV:medium voltage)線と接地との間の電圧を測定する。典型的な例は、この参照により本明細書に組み込まれている、http://www.rossengineeringcorp.com/hi-z_hv_voltmeters.htmに記載の計器である。デバイスは、線に接続し、接地への接続を有する。
【０００４】
ホットスティック電流計は、典型的にはセンサとして空芯コイルを使用して、MV線に流れる電流を測定する。典型的な例は、この参照により本明細書に組み込まれている、http://www.hdelectriccompany.com/assets/files/halo_im.pdfに記載の計器である。これらのデバイスは、典型的には、接地への接続を持たない。
【０００５】
ホットスティック電力品質計は、本質的には、接地への接続を必要としない非接触容量性または光ファイバ電圧勾配センサで補強されたホットスティック電流計である。電圧勾配センサは、電圧振幅を正確に測定するのに十分なほど正確ではないが、センサからの電圧位相情報は、力率を正確に決定し、全高調波歪のような電力品質情報を提供するために使用され得ると主張されている。代表的なデバイスは、この参照により本明細書に組み込まれている、http://tinyurl.com/qualstickに記載されている。
【０００６】
これらのデバイスは、電圧測定の低い精度を含む、いくつかの欠点を有する。抵抗分圧器は、浮遊容量によって汚染される。実際には、1%より高い精度のポータブルホットスティック電圧計は、購入可能ではない。対照的に、長期的/恒久的な計器用変圧器の設置は、高コストの計器用変圧器および高精度の測定機器を犠牲にして、より正確な測定を得ることができる。
【０００７】
上記で説明したもののような電力品質計は、接地接続を持たないので、それらは、電圧測定に対する隣接する線の影響を受けやすい。これらの隣接する線の影響は、位相/力率誤差を作成する可能性がある。
【０００８】
いくつかのシステムは、電流と絶対電圧読み出しの両方を得るために、複数の計器を必要とする。正確な電流および電圧測定を同時に可能にする公知のホットスティックに取り付けられたデバイスは、現在利用可能ではない。
【０００９】
電力を計算するために、電圧および電流の同時かつ正確な測定が必要とされる。既存のポータブルデバイスは、両方の量を同時に測定しないので、電力(ならびに無効電力および位相角)の測定は、不可能にされる。
【発明の概要】
【課題を解決するための手段】
【００１０】
以下に開示される好ましい実施形態は別として、本発明は、他の実施形態が可能であり、様々な方法で実行され得る。したがって、本発明は、その適用において、以下の説明に述べられた、または図面に示された構成要素の構造および配置の詳細に限定されないことを理解すべきである。1つの実施形態が本明細書に記載されている場合、本明細書の特許請求の範囲は、その実施形態に限定されるべきではない。さらに、本明細書の特許請求の範囲は、特定の除外、制限、または放棄を明らかにする明確かつ説得力のある証拠がない限り、限定的に読まれるべきではない。
【００１１】
本発明は、新規なホットスティック電力解析器を説明する。デバイスは、「ホットスティック」-中電圧(1kV〜35kV)配電線で安全に作業するための電気工事士によって使用されるガラス繊維ポールの端部に取り付けられる。デバイスは、次いで、電力線に瞬間的に適用される。デバイスは、電圧を測定するために容量分圧器を使用し、電流を測定するために空芯センスコイルを使用する。オンボードコンピュータは、これらのセンサの各々を標本化し、様々な電力解析測定基準を計算する。線と中性線間の電圧、線電流、有効電力、無効電力、位相角、および力率の正確な測定値は、次いで、オンボードコンピュータから、表示および/または記憶のための近くのパーソナルコンピュータにワイヤレスに送信される。
【００１２】
計器は、電圧、電流、位相角、有効電力、無効電力、ならびに、中電圧(MV)配電線での電力潮流および電力品質に関連する他の量のスポット測定のために使用され得る。
【００１３】
電圧、電流、および電力測定器としてのデバイスの一般的な有用性に加えて、ホットスティック電力解析器は、線に取り付けられたMVセンサのためのキャリブレーションツールとして機能するために必要とされる能力を有する。これらのセンサは、物理的な接地接続を持たず、それらの設置環境での電圧および位相角の高精度なキャリブレーションを必要とする。
【００１４】
本発明の一例でのホットスティック電力解析器は、ホットスティックに取り付けられた複合型電流および電圧センサと、ラップトップPCに取り付けられ得るUSBワイヤレスモデムと、測定結果を記憶/表示する、および/または、読み取り値を非接地MVセンサのキャリブレーションのためのMVコレクタに転送するPC上のソフトウェアとを備える。
【００１５】
電力解析器システムおよび方法が特徴とされる。システムは、ポールに取り付けられ、電力線のためのチャネルを含むハウジングを有するホットスティック電力解析器を含む。接地線は、ハウジングから延びる。電圧センサは、電源線導電コンタクトおよび接地線に接続された電圧感知回路網を含む。高電圧キャパシタンスは、接地線と電圧感知回路網との間にある。電流センサは、電力線の周囲に電力線から離間した巻線を含む。処理サブシステムは、電圧感知回路網および電流センサに応答し、電力解析測定基準を計算するように構成される。
【００１６】
好ましくは、ハウジングステムユニットは、その内部に接地線を有し、高電圧キャパシタンスの一方の電極を形成する。絶縁体は、接地線の周囲にあり、絶縁体の周囲の導体は、電圧感知回路網に結合された高電圧キャパシタンスの他方の電極を形成する。また、ハウジングステムユニットは、さらに、導体の周囲の絶縁体と、絶縁体の周囲のケースとを含み、電力線導電コンタクトと電圧感知回路網との間に接続された第2のキャパシタンスを形成する。好ましくは、処理サブシステムは、ハウジング内にある。
【００１７】
一変形例では、電力線導電コンタクトは、電圧感知回路網に配線されたハウジングの一部を含む。解析器は、さらに、計算された電力解析測定基準をコンピュータにワイヤレスに送信するための、処理サブシステムによって制御される送信機を含むことができる。
【００１８】
一例では、システムは、計算された電力解析測定基準によってキャリブレートされた、線に取り付けられたセンサを含むこともできる。一例では、電力解析測定基準は、RMS電圧、RMS電流、有効電力、無効電力、力率、位相角、全高調波歪、瞬時電圧波形、および/または、瞬時電流波形を含む。
【００１９】
一例では、ホットスティック電力解析器は、ポールと、ポールに取り付けられ、接地線および電力線導電コンタクトを含むハウジングとを備える。ハウジング内の電圧感知回路は、接地線および導電コンタクトに接続される。接地線と電圧感知回路との間に高電圧キャパシタが存在する。巻線を含む電流センサは、電力線から離間されたハウジング内にある。
【００２０】
非接地の電力線に取り付けられたセンサの出力をキャリブレートする方法も特徴とされる。1つの好ましい方法は、高電圧キャパシタンスを介して接地された電圧感知回路に電力線を接続し、電力線から離間された電流センサ巻線を使用して電力線内の電流を感知するために、ホットスティック計を使用することを含む。電力解析測定基準は、電圧感知回路によって感知された電圧レベル、および電流センサによって感知された電流レベルから計算される。計算された電力解析測定基準は、非接地の電力線に取り付けられたセンサの出力をキャリブレートするために使用される。一例では、計算された電力解析測定基準は、ホットスティック計からコンピュータにワイヤレスに送信され、電力解析測定基準は、さらに、コンピュータから、非接地の線に取り付けられたセンサとワイヤレスに通信するコレクタにワイヤレスに送信される。
【００２１】
本発明は、しかしながら、他の実施形態では、すべてのこれらの目的を達成する必要はなく、本明細書の特許請求の範囲は、これらの目的を達成することができる構造または方法に限定されるべきではない。
【００２２】
他の目的、特徴、および利点は、好ましい実施形態の以下の説明、および添付の図面から、当業者の心に浮かぶであろう。
【図面の簡単な説明】
【００２３】
【図１】本発明によるホットスティック電力解析器の一例を示す概略図である。
【図２】図1の解析器に関連付けられた主要な構成要素を示すブロック図である。
【図３】解析器の電圧感知回路網を示す図である。
【図４】解析器の電圧感知および電流感知回路網の別の表現を示す回路図である。
【図５】図1に示す解析器ハウジングの内部を示す概略図である。
【図６】いくつかの例での本発明の解析器のための電流センサ装置の別の変形例を示す概略図である。
【図７】中電圧電力線についての図1の解析器の配置を示す概略図である。
【図８】線に取り付けられたセンサをキャリブレートするための中電圧電力線についての図1の電力解析器の配置を示す概略図である。
【発明を実施するための形態】
【００２４】
ホットスティックに取り付けられたセンサデバイスは、典型的には、「ホットスティック」ポールの端部に取り付けられた小さいハウジングである。高電圧キャパシタは、配電線の電圧を感知するために使用される。キャパシタの一方の端部は、電圧感知回路の入力に接続される。キャパシタの他方の端部上のケーブルは、接地への接続をなす。「ロゴスキーコイル」としても知られる空芯コイルは、配電線を流れる電流を感知する。コイルは、線に有意な方法で負荷をかけることなく、線内の電流の時間微分に比例する電圧を作成する。
【００２５】
低電力マイクロコントローラは、電圧および電流テスト回路を急速に(毎秒約8000回)標本化し、RMS電圧、RMS電流、有効電力、および無効電力のような関連する量を計算するために使用され得る。
【００２６】
ワイヤレストランシーバは、無線を介して測定値をラップトップに取り付けられたモデムに送信する。マイクロコントローラは、高電圧であるので、直接ケーブル接続を有することは危険である可能性がある。ラップトップコンピュータへのワイヤレス接続は、データの読み取りを速め、デバイス上のディスプレイまたは文字盤から記憶媒体に測定値を手動で転送する際の誤りの可能性を排除する。
【００２７】
オンボード電源としてのバッテリおよび電圧レギュレータは、測定回路、マイクロコントローラ、およびトランシーバを駆動するために使用される。USB無線モデムは、本質的に、ホットスティックセンサ自体で使用されるのと同じ低電力マイクロコントローラおよびワイヤレストランシーバであるが、ラップトップコンピュータとインターフェースするためのUSBポートに接続される。
【００２８】
一般的な電力解析器を実現するソフトウェアの現在のバージョンは、いくつかの機能、すなわち、USBモデムを介するセンサとの低レベル通信を管理する機能、ならびに、RMS電圧、RMS電流、有効電力、無効電力、力率、位相角、および全高調波歪の瞬時読み取り値を表示するウェブページを生成する機能を有する。ソフトウェアは、また、瞬時の電圧および電流波形、ならびに上述したすべての量の履歴プロットを計算し、表示することができる。ソフトウェアは、また、後の履歴的表示のための読み取り値を記憶するデータベースを維持することができる。
【００２９】
加えて、MVセンサキャリブレーションのシナリオを実施するために、ソフトウェアは、Wi-Fiを介するMVコレクタとの通信を管理することになり、キャリブレーションのために必要な電圧および位相角情報を、最小限のユーザ相互作用で自動的に伝達する。
【００３０】
特徴は、ポータブルなホットスティックに取り付けられたセンサでの電圧およびアンペア数の同時測定と、ポータブルなホットスティックに取り付けられたセンサでの電力の測定と、ポータブルセンサでの正確な電圧測定のために用いられる容量分圧器と、米国特許第6,677,743号に記載のセンサによって代表される非接地電力線センサのキャリブレーションのために必要な電圧および位相角の測定と、非接地電力線センサの自動キャリブレーションとを含む。
【００３１】
図1は、ステムユニット14の電圧感知回路網のための高電圧キャパシタを含むステムユニット14が装備された計器ハウジング12に結合されたガラス繊維ポール11を有するホットスティック電力解析器10の一例を示す。
【００３２】
接地線16は、ステムユニットから出るように示され、ハウジング12は、電圧感知のための解析の下で中電圧電力線に接触する1つまたは複数の導電性(例えば、金属)エンドプレート18を有する。例えば、ここでハウジングは、ワイヤを介してハウジング内部に位置する電圧感知回路網に接続されたエンドプレート18のU字型部分22に接触する電力線上のハウジング12を位置決めするために使用されるチャネル20を有する。プラスチックまたは他の絶縁性ハウジングが使用される場合、電力線導電コンタクトは、他の方法でハウジングに追加され得る。
【００３３】
図2は、中電圧送電線25に接触するハウジングケースコンタクト22を示す。ケースハウジング22またはそのエンドプレートは、46に示すように、プリント回路基板36に配線され、プリント回路基板は、電圧感知回路網、電流感知回路網、プロセッサ、送信機、などを含む。
【００３４】
ステム14は、この例では、2つのキャパシタを形成する。接地と電圧感知回路網との間の高電圧キャパシタは、図3〜図4の高電圧キャパシタ(5pF)、C0の一方の電極を形成する接地線16に接続された接地導体30を含む。テフロン（登録商標）ロッド32のような絶縁性スリーブは、接地導体30を取り囲む。センサ導体34(例えば、銅箔)は、絶縁体32を取り囲み、47に示すように、ハウジング12内部のプリント回路基板36上の電圧感知回路網に接続された図3〜図4の高電圧キャパシタC0の他方の電極を形成する。プリント回路基板36は、また、マイクロコントローラもしくはマイクロプロセッサ、様々な信号調整回路網、および/または、以下に論じるようにアンテナ38に接続された送信機などの、処理感知サブシステムを含むことができる。
【００３５】
バッテリ40のような電力源は、また、電力をプリント回路基板36の回路および構成要素に供給することができる。ステム14は、さらに、図3〜図4中の第2のキャパシタ(例えば、500pF)、C1を含むことができ、導体36はその一方の電極を形成し、ステムケース42は、図示のようにハウジング12およびワイヤ46を介してプリント回路基板36に接続されたその他方の電極を形成する。ビニールシートのような絶縁体44は、ケース42を導体34から離間する。
【００３６】
図2および図4には、互いにかつプリント回路基板36の電流感知回路網に接続されたC字型構造54の周囲の巻線52a、52b、および52cを有する電流センサ50も示される。電力線が電力線を流れる電流に比例する巻線内の電圧を誘導するように、巻線は、電力線25の周囲に配置され、電力線25から離間されるように構成される。そのような空芯ロゴスキーコイルは、したがって、好ましくは、電力線電流を感知するために使用される。図4では、電流センサの巻線は、52で示される。
【００３７】
図3では、電圧感知回路網は、高電圧キャパシタC0に接続されたその負端子と、ここではハウジング12を介して電力線導電コンタクト22に接続されたその正端子とを有するOPアンプ60を含む。OPアンプ60の出力は、ここではマイクロコントローラとして示される処理サブシステムに向けられる。マイクロコントローラは、電圧感知回路網によって感知された電圧から電力解析測定基準を計算するコンピュータ命令でプログラムされる。抵抗器Rfは、OPアンプ60の入力とその出力との間に結合され得る。図4は、「接地」が監視されている電力線として表される、電圧感知回路網ならびに電流センサの別の表現を示す。図4は、一例での、関連する電圧感知回路網70および電流感知回路網72を示す追加の詳細も示す。ワイヤレストランシーバ71も示される。
【００３８】
図5は、プリント回路基板36と、電力線の周囲に巻線を配置するプラスチックC字型モジュール54の周囲に巻線52a〜52cを有する電流感知コイル構造50とを露出させる、取り外されたエンドプレート18を示す。図6は、C字型プリント回路基板モジュール54'内の巻線52a'〜52c'を有する別の可能なコイル構造50'を示す。
【００３９】
図7では、架線工夫は、ポール11を使用して、ホットスティックに取り付けられたセンサ10を線上に配置する。ホットスティックに取り付けられたセンサは、電流、電圧、ならびに、有効および無効電力を測定する。ホットスティックに取り付けられたセンサは、次いで、センサから信号を受信するためにUSB無線モデム80を使用して、この情報を近くのラップトップPC82にワイヤレスに送信する。PC上のソフトウェアは、次いで、電流、エネルギー、電力などの測定値を表示する。
【００４０】
図8の第2のシナリオは、PC82が解析器10とワイヤレスでのみ通信するだけでなく、恒久的な、線に取り付けられた中電圧センサ90から測定値を受信するMVコレクタボックス92を有することを除いて、同様である。センサは、この参照により本明細書に組み込まれている、米国特許第6,677,743号に記載されたタイプのものである。センサの外部のプレートから接地への容量性結合は、電圧を感知するために使用される。センサの利得および位相シフトは、センサの据え付け手順の一部として、正確にキャリブレートされなければならない。PC82は、測定値のための導管として機能し、ホットスティック電力解析器による測定値を介するセンサのキャリブレーションを自動化する。
【００４１】
図7のハウジング12は、ポール11を使用して、中電圧線25の上に配置される。電力解析器の処理サブシステム(および/またはPC82)は、上記で論じた、RMS電圧、RMS電流、有効電力、などのような電力解析測定基準を計算する。送信機は、これらの測定基準を、記録の保持、さらなる処理、などのためのラップトップコンピュータ82のUSBポートに取り付けられた無線モデム80にワイヤレスに送信する。処理は、いくつかの例では、ラップトップ82と電力解析器10との間で分散される。図8は、信号を収集ユニット92にワイヤレスに提供する電力線に取り付けられたセンサ90をキャリブレートするために、電力解析器10がどのように使用され得るのかを示す。ここで、コンピュータ82とコレクタ92との間の通信は、好ましくは、94に示すように、Wi-Fi信号を介する。
【００４２】
電力線に取り付けられたセンサ90(例えば、この参照により本明細書に組み込まれている、特許第6,677,743号を参照)は、独立型ユニットであるので、有利であるが、非接地であり、不正確な読み取り値を提供する可能性があるので、不利である。例えば、そのようなセンサは、接地接続を持たないので、それらは、電圧測定を行うとき、隣接する線の影響を受けやすい可能性がある。これらの隣接する電力線の影響は、位相/力率誤差を作成する可能性がある。
【００４３】
しかし、接地された本発明の電力解析器によって出力された、より正確に計算された電力解析測定基準を使用することによって、線に取り付けられたセンサ90および/またはコレクタ92は、センサの電圧利得をキャリブレートし、位相/力率誤差を修正または調整するために、据え付け時にキャリブレートされ得る。
【００４４】
1つの特定の例では、キャリブレーション定数は、RMS電圧、RMS電流、および、センサ90によって取られた他の読み取り値をより正確に反映するために、センサ90によってコレクタ92に出力された生の測定値を調整するために、コンピュータ82からコレクタ92にワイヤレスに送信される。
【００４５】
本発明の特定の特徴は、いくつかの図面に示され、他の図面に示されていないが、これは、各特徴が、本発明による任意のまたはすべての他の特徴と組み合わされ得るように、便宜のみのためである。本明細書で使用される「含む」、「備える」、「有する」、および「有する」は、広義かつ包括的に解釈されるべきであり、いかなる物理的相互接続にも限定されない。さらに、本出願に開示された任意の実施形態は、唯一の可能な実施形態として解釈されるべきではない。
【符号の説明】
【００４６】
10  ホットスティック電力解析器
11  ポール
12  計器ハウジング
14  ステムユニット、ステム
16  接地線
18  エンドプレート
20  チャネル
22  U字型部分、ハウジングケースコンタクト、ケースハウジング、電力線導電コンタクト
25  中電圧送電線
30  接地導体
32  テフロンロッド
34  センサ導体
36  プリント回路基板
38  アンテナ
40  バッテリ
42  ケース
44  絶縁体
46  ワイヤ
47  電極
50  電流センサ、電流感知コイル構造
50'  コイル構造
52  巻線
52a  巻線
52a'  巻線
52b  巻線
52b'  巻線
52c  巻線
52c'  巻線
54  C字型構造、C字型モジュール
54'  C字型プリント回路基板モジュール
60  OPアンプ
62  低電力マイクロコントローラ
70  電圧感知回路網
71  ワイヤレストランシーバ
72  電流感知回路網
80  USB無線モデム
82  ラップトップPC
90  中電圧センサ
92  MVコレクタボックス、収集ユニット
94  Wi-Fi信号
【図１】
2015533427.tif 000003
【図２】
2015533427.tif 000004
【図３】
2015533427.tif 000005
【図４】
2015533427.tif 000006
【図５】
2015533427.tif 000007
【図６】
2015533427.tif 000008
【図７】
2015533427.tif 000009
【図８】
2015533427.tif 000010
【国際調査報告】
2015533427.tif 000011